(57)【要約】  内圧が陽圧となるボトルに用いるキャップ（２０）であって、ボトル口部の外周面に設けられた雄ネジ部と係合させる雌ネジ部（２１）を備え、雌ネジ部（２１）は、キャップ側壁（２５）の内周面（２５Ａ）から突出する、少なくとも３６０度連続して螺旋状に延びる周突出部（２２）を備え、周突出部（２２）には、径方向の一部が切り欠かれた切欠き部（２３）が少なくとも一か所設けられている。
2019064450.tif 000002
【特許請求の範囲】
【請求項１】
内圧が陽圧となるボトルに用いるキャップであって、
ボトル口部の外周面に設けられた雄ネジ部と係合させる雌ネジ部を備え、
前記雌ネジ部は、キャップ側壁の内周面から突出する、少なくとも３６０度連続して螺旋状に延びる周突出部を備え、
前記周突出部には、径方向の一部が切り欠かれた切欠き部が少なくとも一か所設けられているキャップ。
【請求項２】
前記周突出部には、前記切欠き部が所定間隔で複数設けられている請求項１に記載のキャップ。
【請求項３】
前記切欠き部の縁が、なだらかな弧状で形成されている請求項２に記載のキャップ。
【請求項４】
前記ボトル口部の外周面をシールするアウターシール部を備え、
前記アウターシール部と前記キャップ側壁の内周面との間には、両者を接続するリブが設けられている請求項１〜３のいずれか１項に記載のキャップ。
【請求項５】
炭酸飲料用のボトルに用いるキャップである請求項１〜４のいずれか１項に記載のキャップ。
【請求項６】
前記ボトル口部の外径が２５ｍｍ以上であるボトルに用いるキャップである請求項１〜５のいずれか１項に記載のキャップ。
【請求項７】
請求項１〜６のいずれか一項に記載のキャップを取り付けたボトル。
【発明の詳細な説明】
【技術分野】
【０００１】
本発明は、内圧が陽圧となるボトルに用いるキャップ、及び、当該キャップを取り付けたボトルに関する。
【背景技術】
【０００２】
特開２０１５−９８５３号公報（特許文献１）など、一般に、ボトルに取り付けるキャップ１００は、図５に示すように、ボトル口部の外周面に設けられた雄ネジ部と係合させる雌ネジ部１０１を備えており、雌ネジ部１０１が、複数の突起部１０２が周方向に断続的に連なったものとなっている。【０００３】
例えば炭酸飲料を充填したボトルなど内圧が陽圧となるボトルでは、高温雰囲気化で保管されるなどによりボトルの内圧が高まると、図６に示すようにキャップ１００の天面１０３が押し上げられ、さらに天面１０３に引きずられる形で側壁１０４も上方に押し上げられる状態となることがある。このような状態になると、キャップによるボトル口部のシール状態が解除され、内容物のリークが起きる虞がある。
【先行技術文献】
【特許文献】
【０００４】
【特許文献１】特開２０１５−９８５３号公報
【発明の概要】
【発明が解決しようとする課題】
【０００５】
側壁１０４が上方に押し上げられるのはキャップ側壁１０４が周方向に伸びて外方に膨らむ方向に変形するためであるが、複数の突起部１０２が周方向に断続的に連なった雌ネジ部１０１を有する従来のキャップ１００では、キャップ側壁１０４が周方向に伸びることを十分に抑制できず、内容物のリークを効果的に抑制できなかった。【０００６】
そこで、本発明の目的は、内容物のリークを効果的に抑制できるキャップを提供することにある。
【課題を解決するための手段】
【０００７】
本発明に係るキャップは、
内圧が陽圧となるボトルに用いるキャップであって、
ボトル口部の外周面に設けられた雄ネジ部と係合させる雌ネジ部を備え、
前記雌ネジ部は、キャップ側壁の内周面から突出する、少なくとも３６０度連続して螺旋状に延びる周突出部を備え、
前記周突出部には、径方向の一部が切り欠かれた切欠き部が少なくとも一か所設けられている。【０００８】
この構成によれば、雄ネジ部が３６０度連続して螺旋状に延びる周突出部を備えるから、キャップ側壁が周方向に伸びることを効果的に抑制することができ、キャップ側壁が外方に膨らみにくくなり、その結果、キャップ側壁が上方に押し上げられることを効果的に抑制できる。これにより、内容物のリークを効果的に抑制できる。また、周突出部には径方向の一部が切り欠かれた切欠き部が設けられているため、切欠き部がガスの抜け道となって開栓時にガスを逃がすことができ、安全に開栓を行うことができる。【０００９】
１つの態様として、前記周突出部には、前記切欠き部が所定間隔で複数設けられていると好適である。【００１０】
この構成によれば、複数の切欠き部を有するから軽量化も図ることができ、さらに、所定間隔で設けられるのでキャップの強度が均等化されて、一層効果的にキャップ側壁の変形を抑制できる。【００１１】
１つの態様として、前記切欠き部の縁が、なだらかな弧状で形成されていると好適である。【００１２】
切欠き部の縁が段差状に形成されていると、キャップをボトル口部に取り付けるときに、ボトル口部の雄ネジ部と切欠き部とが互いに干渉して、ボトルへのキャップの取り付けが阻害されるおそれがあるが、この構成によれば、切欠き部の縁が、なだらかな弧状で形成されているため、キャップをボトル口部に取り付けるときに、ボトル口部の雄ネジ部と切欠き部とが互いに干渉することを効果的に抑制でき、ボトルへのキャップの取り付けを円滑に行い易い。【００１３】
１つの態様として、前記ボトル口部の外周面をシールするアウターシール部を備え、前記アウターシール部と前記キャップ側壁の内周面との間には、両者を接続するリブが設けられていると好適である。【００１４】
これらの構成によれば、シール部分やキャップ天面、側壁の変形を効果的に抑制でき、内容物のリークを効果的に抑制できる。【００１５】
１つの態様として、炭酸飲料用のボトルに用いるキャップであると好適である。【００１６】
本発明に係るキャップは内圧の上昇による内容物のリークを効果的に抑制できるため、内圧が高まりやすい炭酸飲料を充填するボトルに対して有効である。【００１７】
１つの態様として、前記ボトル口部の外径が２５ｍｍ以上であるボトルに用いるキャップであると好適である。【００１８】
変形率が同じであっても、キャップの径が大きいほど変形量は大きくなるため、内圧の上昇による内容物のリークの危険が高いところ、ボトル口部の外径が２５ｍｍ以上であることに伴いキャップの径が大きくなっても、本発明に係るキャップによれば内容物のリークを効果的に抑制できる。【００１９】
本発明に係るボトルは、
本発明に係る上記いずれかのキャップを取り付けたものである。
【図面の簡単な説明】
【００２０】
【図１】ボトル口部の正面図
【図２】キャップの一部断面正面図
【図３】図２におけるIII−III断面図
【図４】図２におけるIV−IV断面図
【図５】従来のキャップを示す一部断面正面図
【図６】ボトルの内圧が高まった状態を示す説明図
【発明を実施するための形態】
【００２１】
本発明に係るキャップ及びボトルの実施形態について、図面を参照して説明する。本実施形態に係るキャップ２０は、ボトルの内圧が高まったときに、キャップ２０によるボトル口部１０のシール状態が解除されることを抑制し、内容物のリークを回避することを目的としており、内圧が陽圧となるボトル、特に本実施形態では炭酸飲料用のボトルに用いるものである。以下、本実施形態に係るキャップ２０について説明する。
【００２２】
本実施形態に係るキャップ２０は、図１に示すボトルの口部１０に取り付けられる。ボトル口部１０の外周面１０Ａには雄ネジ部１１が設けられている。具体的には、雄ネジ部１１は、口部１０の外周面１０Ａから径方向に突出する複数の突出部１２が断続的に螺旋状に連なってなるものであり、各突出部１２間の隙間１３がボトル１内の液中から抜けたガスの抜け道となっている。また、本実施形態では、ボトル口部１０の外径は３５ｍｍとしてある。なお、ボトル口部１０の外径は特に限定されないが、２５ｍｍ以上であると好適であり、特に２８ｍｍ以上であると好適である。一般にキャップ１０の径が大きいほど内圧の上昇による内容物のリークの危険が高くなるものであるため、内容物のリークを効果的に抑制できる本実施形態に係るキャップ２０が特に有効になるためである。
【００２３】
なお、ボトルは、一般に市場に流通するボトルであればよく、例えば、ポリエチレン、ポリプロピレン、ポリエチレンテレフタレート等の熱可塑性樹脂を主材料として、二軸延伸ブロー成型等の延伸成形法によって一体的に成型することができる。ボトルの容量は特に限定されず、一般的に流通している２００ミリリットル〜２リットル程度とすることができる。また、ボトルに充填させる液体は本実施形態では炭酸飲料としているが特に限定されず、充填後に内圧が陽圧となるか、窒素等の封入により内圧が陽圧となる状態で充填されるものであれば、例えば、飲料水、茶、果汁、コーヒー、ココア、清涼飲料水、アルコール飲料、乳飲料、スープなどの飲料や、ソースや醤油などの液体調味料などが挙げられる。
【００２４】
本実施形態に係るキャップ２０は、図２，３に示すように、雄ネジ部１１と係合させる雌ネジ部２１を備える。雌ネジ部２１は、キャップ側壁２５の内周面２５Ａから突出する少なくとも３６０度（本実施形態では６８０度）連続して螺旋状に延びる周突出部２２からなる。つまり、ボトル口部１０の雄ネジ部１１は、複数の突出部１２が隙間１３を空けて連なったものとなっていたが、雌ネジ部２１は一つの周突出部２２が少なくとも一周分の３６０度連続しており、これにより内容物のリークを効果的に抑制できる。つまり、内容物のリークが起こるのは、内圧が高まることによりキャップ２０の天面２４が押し上げられ、さらに天面に引きずられる形でキャップ側壁２５も上方に押し上げられる状態となることがあり、このような状態になると、キャップ２０によるボトル口部１０のシール状態が解除されるからであるところ、雄ネジ部２１が少なくとも３６０度連続して螺旋状に延びる周突出部２２からなるため、キャップ側壁２５が周方向に伸びることを効果的に抑制することができ、キャップ側壁２５が外方に膨らみにくくなり、その結果、キャップ側壁２５が上方に押し上げられることを効果的に抑制できる。
【００２５】
また、ガスの抜け道を作るため、周突出部２２には、径方向の一部が切り欠かれた（つまり、ボトル側壁２５の内周面２５Ａまで到達しない）切欠き部２３が少なくとも一か所設けられている。より詳しくは、所定間隔で複数（本実施形態では）設けられている。複数の切欠き部２３を有するから軽量化も図ることができ、さらに、所定間隔で設けられるのでキャップ２０の強度が均等化されて、一層効果的にキャップ側壁２５の変形を抑制できる。なお、ボトル口部１０にキャップ２０に取り付けたとき、各切欠き部２３は雄ネジ部１１の隙間１３の位置に対応する位置に配置されるようになっている。さらに、各切欠き部２３の縁２３ａはなだらかな弧状で形成されている。これにより、キャップ２０をボトル口部１０に取り付けるときに、ボトル口部１０の雄ネジ部１１と切欠き部２３とが互いに干渉することを効果的に抑制でき、ボトルへのキャップ２０の取り付けを円滑に行い易くなる。また、切欠き部２３の深さはボトル側壁２５の内周面２５Ａまで到達しないものであれば特に限定されないが、周突出部２２の突出高さの２０〜８０％であると好ましい。２０％未満であればキャップ側壁２５の膨らみを防止しにくくなり、８０％を超えるとガスの抜け道を確保しがたく、また、軽量化も図れなくなるためである。
【００２６】
図２，４に示すように、キャップ２０の天面２４の内面２４Ａには、口部１０の内周面の先端部分をシールするインナーシール部２６と、口部１０の外周面１０Ａの先端部分をシールするアウターシール部２７とが設けられている。このインナーシール部２６とアウターシール部２７とで口部１０の先端部分を挟み込むことで口部１０がシールされる。そして、アウターシール部２７とキャップ側壁２５の内周面２５Ａとの間、及び、インナーシール部２６とアウターシール部２７との間には、それぞれ両者を接続するリブ２８，２９が周方向に等間隔で複数（本実施形態では１４個）設けられている。具体的には、各リブ２８は、径方向に対して傾く状態で、アウターシール部２７とキャップ側壁２５の内周面２５Ａとの間に延びており、各リブ２９は、径方向に沿う状態で、インナーシール部２６とアウターシール部２７との間に延びている。そして、本実施形態では、隣り合うリブ２８間の周方向における中間位置にリブ２９が位置し、且つ、隣り合うリブ２９間の周方向における中間位置にリブ２９が位置しキャップ天面の変形を効果的に抑制でき、内容物のリークを効果的に抑制できる。
【００２７】
〔その他の実施形態〕
最後に、本発明に係るキャップ及びボトルのその他の実施形態について説明する。なお、以下のそれぞれの実施形態で開示される構成は、矛盾が生じない限り、他の実施形態で開示される構成と組み合わせて適用することも可能である。
【００２８】
（１）上記の実施形態では、雌ネジ部２１が一つの周突出部２２からなる構成を例に説明した。しかし、本発明の実施形態はこれに限定されない。例えば、雄ネジ部１１と同じように雌ネジ部２１を複数の突出部が隙間を空けて連なったものとしつつ、そのうち少なくとも一つの突出部を３６０度以上連続する周突出部２２としたものであってもよい。
【００２９】
（２）上記の実施形態では、アウターシール部２７とキャップ側壁２５の内周面２５Ａとの間、及び、インナーシール部２６とアウターシール部２７との間に、それぞれ両者を接続するリブ２８，２９を等間隔に複数設けた構成を例として説明した。しかし、本発明の実施形態はこれに限定されず、リブ２８，２９の個数は適宜変更可能であり、また、リブ２８，２９は等間隔に設けなくてもよい。その他、リブ２８，２９の両者、又は一方を設けなくてもよい。
【００３０】
（３）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３１】
本発明は、例えばボトルのキャップに利用することができる。
【符号の説明】
【００３２】
１０    ボトル口部
１０Ａ  外周面
１０Ｂ  内周面
１１    雄ネジ部
２０    キャップ
２１    雌ネジ部
２２    周突出部
２３    切欠き部
２５    キャップ側壁
２５Ａ  内周面
２６    インナーシール部
２７    アウターシール部
２８    リブ
【図１】
2019064450.tif 000003
【図２】
2019064450.tif 000004
【図３】
2019064450.tif 000005
【図４】
2019064450.tif 000006
【図５】
2019064450.tif 000007
【図６】
2019064450.tif 000008
【国際調査報告】
2019064450.tif 000009
2019064450.tif 000010
2019064450.tif 000011
2019064450.tif 000012